【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
入力画像の特定の周波数帯域近傍の成分を取り出した第１の中間画像を生成する中間画像生成手段と、
前記第１の中間画像を入力とし第２の中間画像を生成する中間画像処理手段と、
前記第１の中間画像を入力とし前記第２の中間画像の各画素に対する補正強度を決定する補正強度決定手段と、
前記補正強度決定手段により各画素について決定された前記補正強度に応じた補正量だけ、前記第２の中間画像の当該画素の画素値の絶対値が小さくなるように、前記第２の中間画像に対する補正を行って、補正画像を出力する補正手段と、
前記入力画像と前記補正画像を加算する第１の加算手段と
を有し、
前記補正強度決定手段は、
前記第１の中間画像のそれぞれの画素の画素値の絶対値が所定の閾値より大きい場合１を出力し、それ以外の場合０を出力する比較手段と、
各画素を中心とする所定の範囲内に位置する画素についての前記比較手段の出力を加重加算する比較結果加算手段と
を有する
ことを特徴とする画像処理装置。
【請求項２】
入力画像の特定の周波数帯域近傍の成分を取り出した第１の中間画像を生成する中間画像生成手段と、
前記第１の中間画像を入力とし第２の中間画像を生成する中間画像処理手段と、
前記第１の中間画像を入力とし前記第２の中間画像の各画素に対する補正強度を決定する補正強度決定手段と、
前記補正強度決定手段により各画素について決定された前記補正強度に応じた補正量だけ、前記第２の中間画像の当該画素の画素値の絶対値が小さくなるように、前記第２の中間画像に対する補正を行って、補正画像を出力する補正手段と、
前記入力画像と前記補正画像を加算する第１の加算手段と
を有し、
前記補正強度決定手段は、
前記第１の中間画像のそれぞれの画素の画素値の絶対値が所定の閾値より小さい少なくとも一部の区間で０を出力し、それ以外の少なくとも一部の区間で前記第１の中間画像の画素値の絶対値の値の変化に対し連続的に変化する値を出力する比較手段と、
各画素を中心とする所定の範囲内に位置する画素についての前記比較手段の出力を加重加算する比較結果加算手段と
を有することを特徴とする画像処理装置。
【請求項３】
前記所定の閾値は、前記第１の中間画像の画素値の符号が正の場合と負の場合で異なる値とされることを特徴とする請求項１又は２に記載の画像処理装置。
【請求項４】
前記補正手段は、
前記補正強度が第１の所定の大きさ未満の場合にはゼロであり、前記補正強度が前記第１の所定の大きさ以上となる少なくとも一部の区間で、第２の所定の大きさ以上となるよう前記補正量を求める補正量算出手段と、
前記補正量だけ、前記第２の中間画像の画素値の絶対値が小さくなるように、前記第２の中間画像に対する補正演算を行う補正演算手段と
を有することを特徴とする請求項１又は２に記載の画像処理装置。
【請求項５】
入力画像の特定の周波数帯域近傍の成分を取り出した第１の中間画像を生成する中間画像生成手段と、
前記第１の中間画像を入力とし第２の中間画像を生成する中間画像処理手段と、
前記第２の中間画像を入力とし前記第２の中間画像を補正した補正画像を出力する補正手段と、
前記入力画像と前記補正画像を加算する第１の加算手段とを有し、
前記補正手段は、
前記第２の中間画像の画素値を、前記画素値の符号を表す符号データと前記画素値の絶対値をｎ個（ｎは２以上の整数）の値に分割した第１の分割データとに分割する分割手段と、
前記第１の分割データを構成するｎ個の値のうち、少なくとも一つの値が減衰されたｎ個の値から成る第２の分割データを生成する分割データ処理手段と、
前記第２の分割データを構成するｎ個の値を加算して得られた値に、前記符号データが表す符号を付加して得られる値を出力する合成手段と
を有することを特徴とする画像処理装置。
【請求項６】
前記画素値の絶対値をＤ、ＴＨ（ｊ）≦ＴＨ（ｊ＋１）を満たすｎ−１個の閾値をＴＨ（ｊ）（ｊ＝１〜ｎ−１）で表した場合、
前記第１の分割データを構成するｎ個の値Ｄ（ｊ）（ｊ＝１〜ｎ）のうち、
第１の値Ｄ（１）は以下の式で表され、
【数７】
2013228536.tif 000001
第ｎの値Ｄ（ｎ）は以下の式で表され、
【数８】
2013228536.tif 000002
第ｊの値Ｄ（ｊ）（２≦ｊ≦ｎ−１）は以下の式で表され、
【数９】
2013228536.tif 000003
さらに、
前記分割データ処理手段は、上記の式で表されるｎ個の値Ｄ（ｊ）のうち、第２の値Ｄ（２）から前記第ｎの値Ｄ（ｎ）までのｎ−１個の値のうち、少なくとも一つを減衰させる
ことを特徴とする請求項５に記載の画像処理装置。
【請求項７】
入力画像の特定の周波数帯域近傍の成分を取り出した第１の中間画像を生成する中間画像生成手段と、
前記第１の中間画像を入力とし第２の中間画像を生成する中間画像処理手段と、
前記入力画像と前記第２の中間画像を加算する第１の加算手段とを有し、
前記中間画像処理手段は、
前記第１の中間画像を補正する補正手段を含み、
前記補正手段は、
前記第１の中間画像の画素値を、前記画素値の符号を表す符号データと前記画素値の絶対値をｎ個（ｎは２以上の整数）の値に分割した第１の分割データとに分割する分割手段と、
前記第１の分割データを構成するｎ個の値のうち、少なくとも一つの値が減衰されたｎ個の値から成る第２の分割データを生成する分割データ処理手段と、
前記第２の分割データを構成するｎ個の値を加算して得られた値に、前記符号データが表す符号を付加して得られる値を出力する合成手段とを有する
ことを特徴とする画像処理装置。
【請求項８】
入力画像の特定の周波数帯域近傍の成分を取り出した第１の中間画像を生成する中間画像生成手段と、
前記第１の中間画像を入力とし第２の中間画像を生成する中間画像処理手段と、
前記入力画像と前記第２の中間画像を加算する第１の加算手段とを有し、
前記中間画像処理手段は、
前記第１の中間画像の画素に応じて処理の内容を変化させる非線形処理手段と、
前記非線形処理手段の出力する画像の高周波数成分のみを取り出した高周波数成分画像を生成する高周波数成分画像生成手段と、
前記高周波数成分画像を補正する補正手段を含み、
前記補正手段は、
前記高周波数成分画像の画素値を、前記画素値の符号を表す符号データと前記画素値の絶対値をｎ個（ｎは２以上の整数）の値に分割した第１の分割データとに分割する分割手段と、
前記第１の分割データを構成するｎ個の値のうち、少なくとも一つの値が減衰されたｎ個の値から成る第２の分割データを生成する分割データ処理手段と、
前記第２の分割データを構成するｎ個の値を加算して得られた値に、前記符号データが表す符号を付加して得られる値を出力する合成手段とを有する
ことを特徴とする画像処理装置。
【請求項９】
入力画像の水平方向に関して特定の周波数帯域近傍の成分を取り出した水平方向中間画像と、垂直方向に関して特定の周波数帯域近傍の成分を取り出した垂直方向中間画像から成る第１の中間画像を生成する中間画像生成手段と、
前記第１の中間画像を入力とし第２の中間画像を生成する中間画像処理手段と、
前記入力画像と前記第２の中間画像を加算する第１の加算手段とを有し、
前記中間画像処理手段は、
前記水平方向中間画像と前記垂直方向中間画像を加算する第２の加算手段と、
前記第２の加算手段が出力する画像を補正する補正手段を含み、
前記補正手段は、
前記第２の加算手段が出力する画像の画素値を、前記画素値の符号を表す符号データと前記画素値の絶対値をｎ個（ｎは２以上の整数）の値に分割した第１の分割データとに分割する分割手段と、
前記第１の分割データを構成するｎ個の値のうち、少なくとも一つの値が減衰されたｎ個の値から成る第２の分割データを生成する分割データ処理手段と、
前記第２の分割データを構成するｎ個の値を加算して得られた値に、前記符号データが表す符号を付加して得られる値を出力する合成手段とを有する
ことを特徴とする画像処理装置。
【請求項１０】
入力画像の水平方向に関して特定の周波数帯域近傍の成分を取り出した水平方向中間画像と、垂直方向に関して特定の周波数帯域近傍の成分を取り出した垂直方向中間画像から成る第１の中間画像を生成する中間画像生成手段と、
前記第１の中間画像を入力とし第２の中間画像を生成する中間画像処理手段と、
前記入力画像と前記第２の中間画像を加算する第１の加算手段とを有し、
前記中間画像処理手段は、
前記水平方向中間画像の画素に応じて処理の内容を変化させる水平方向非線形処理手段と、
前記水平方向非線形処理手段の出力する画像の高周波数成分のみを取り出した水平方向高周波数成分画像を生成する水平方向高周波数成分画像生成手段と、
前記垂直方向中間画像の画素に応じて処理の内容を変化させる垂直方向非線形処理手段と、
前記垂直方向非線形処理手段の出力する画像の高周波数成分のみを取り出した垂直方向高周波数成分画像を生成する垂直方向高周波数成分画像生成手段と、
前記水平方向高周波数成分画像と前記垂直方向高周波数成分画像を加算する第２の加算手段と、
前記第２の加算手段の出力する画像を補正する補正手段を含み、
前記補正手段は、
前記第２の加算手段の出力する画像の画素値を、前記画素値の符号を表す符号データと前記画素値の絶対値をｎ個（ｎは２以上の整数）の値に分割した第１の分割データとに分割する分割手段と、
前記第１の分割データを構成するｎ個の値のうち、少なくとも一つの値が減衰されたｎ個の値から成る第２の分割データを生成する分割データ処理手段と、
前記第２の分割データを構成するｎ個の値を加算して得られた値に、前記符号データが表す符号を付加して得られる値を出力する合成手段とを有する
ことを特徴とする画像処理装置。
【請求項１１】
請求項１から１０のいずれか１項に記載の画像処理装置を備えた画像表示装置。
【請求項１２】
入力画像の特定の周波数帯域近傍の成分を取り出した第１の中間画像を生成する中間画像生成ステップと、
前記第１の中間画像を入力とし第２の中間画像を生成する中間画像処理ステップと、
前記第１の中間画像を入力とし前記第２の中間画像の各画素に対する補正強度を決定する補正強度決定ステップと、
前記補正強度決定ステップにより各画素について決定された前記補正強度に応じた補正量だけ、前記第２の中間画像の当該画素の画素値の絶対値が小さくなるように、前記第２の中間画像に対する補正を行って、補正画像を出力する補正ステップと、
前記入力画像と前記補正画像を加算する第１の加算ステップと
を有し、
前記補正強度決定ステップは、
前記第１の中間画像のそれぞれの画素の画素値の絶対値が所定の閾値より大きい場合１を出力し、それ以外の場合０を出力する比較ステップと、
各画素を中心とする所定の範囲内に位置する画素についての前記比較ステップの出力を加重加算する比較結果加算ステップと
を有することを特徴とする画像処理方法。
【請求項１３】
入力画像の特定の周波数帯域近傍の成分を取り出した第１の中間画像を生成する中間画像生成ステップと、
前記第１の中間画像を入力とし第２の中間画像を生成する中間画像処理ステップと、
前記第１の中間画像を入力とし前記第２の中間画像の各画素に対する補正強度を決定する補正強度決定ステップと、
前記補正強度決定ステップにより各画素について決定された前記補正強度に応じた補正量だけ、前記第２の中間画像の当該画素の画素値の絶対値が小さくなるように、前記第２の中間画像に対する補正を行って、補正画像を出力する補正ステップと、
前記入力画像と前記補正画像を加算する第１の加算ステップと
を有し、
前記補正強度決定ステップは、
前記第１の中間画像のそれぞれの画素の画素値の絶対値が所定の閾値より小さい少なくとも一部の区間で０を出力し、それ以外の少なくとも一部の区間で前記第１の中間画像の画素値の絶対値の値の変化に対し連続的に変化する値を出力する比較ステップと、
各画素を中心とする所定の範囲内に位置する画素についての前記比較ステップの出力を加重加算する比較結果加算ステップとを有する
ことを特徴とする画像処理方法。
【請求項１４】
入力画像の特定の周波数帯域近傍の成分を取り出した第１の中間画像を生成する中間画像生成ステップと、
前記第１の中間画像を入力とし第２の中間画像を生成する中間画像処理ステップと、
前記第２の中間画像を入力とし前記第２の中間画像を補正した補正画像を出力する補正ステップと、
前記入力画像と前記補正画像を加算する第１の加算ステップとを有し、
前記補正ステップは、
前記第２の中間画像の画素値を、前記画素値の符号を表す符号データと前記画素値の絶対値をｎ個（ｎは２以上の整数）の値に分割した第１の分割データとに分割する分割ステップと、
前記第１の分割データを構成するｎ個の値のうち、少なくとも一つの値が減衰されたｎ個の値から成る第２の分割データを生成する分割データ処理ステップと、
前記第２の分割データを構成するｎ個の値を加算して得られた値に、前記符号データが表す符号を付加して得られる値を出力する合成ステップと
を有することを特徴とする画像処理方法。
【請求項１５】
入力画像の特定の周波数帯域近傍の成分を取り出した第１の中間画像を生成する中間画像生成ステップと、
前記第１の中間画像を入力とし第２の中間画像を生成する中間画像処理ステップと、
前記入力画像と前記第２の中間画像を加算する第１の加算ステップとを有し、
前記中間画像処理ステップは、
前記第１の中間画像を補正する補正ステップを含み、
前記補正ステップは、
前記第１の中間画像の画素値を、前記画素値の符号を表す符号データと前記画素値の絶対値をｎ個（ｎは２以上の整数）の値に分割した第１の分割データとに分割する分割ステップと、
前記第１の分割データを構成するｎ個の値のうち、少なくとも一つの値が減衰されたｎ個の値から成る第２の分割データを生成する分割データ処理ステップと、
前記第２の分割データを構成するｎ個の値を加算して得られた値に、前記符号データが表す符号を付加して得られる値を出力する合成ステップとを有する
ことを特徴とする画像処理方法。
【請求項１６】
入力画像の特定の周波数帯域近傍の成分を取り出した第１の中間画像を生成する中間画像生成ステップと、
前記第１の中間画像を入力とし第２の中間画像を生成する中間画像処理ステップと、
前記入力画像と前記第２の中間画像を加算する第１の加算ステップとを有し、
前記中間画像処理ステップは、
前記第１の中間画像の画素に応じて処理の内容を変化させる非線形処理ステップと、
前記非線形処理ステップの出力する画像の高周波数成分のみを取り出した高周波数成分画像を生成する高周波数成分画像生成ステップと、
前記高周波数成分画像を補正する補正ステップを含み、
前記補正ステップは、
前記高周波数成分画像の画素値を、前記画素値の符号を表す符号データと前記画素値の絶対値をｎ個（ｎは２以上の整数）の値に分割した第１の分割データとに分割する分割ステップと、
前記第１の分割データを構成するｎ個の値のうち、少なくとも一つの値が減衰されたｎ個の値から成る第２の分割データを生成する分割データ処理ステップと、
前記第２の分割データを構成するｎ個の値を加算して得られた値に、前記符号データが表す符号を付加して得られる値を出力する合成ステップとを有する
ことを特徴とする画像処理方法。
【請求項１７】
入力画像の水平方向に関して特定の周波数帯域近傍の成分を取り出した水平方向中間画像と、垂直方向に関して特定の周波数帯域近傍の成分を取り出した垂直方向中間画像から成る第１の中間画像を生成する中間画像生成ステップと、
前記第１の中間画像を入力とし第２の中間画像を生成する中間画像処理ステップと、
前記入力画像と前記第２の中間画像を加算する第１の加算ステップとを有し、
前記中間画像処理ステップは、
前記水平方向中間画像と前記垂直方向中間画像を加算する第２の加算ステップと、
前記第２の加算ステップが出力する画像を補正する補正ステップを含み、
前記補正ステップは、
前記第２の加算ステップが出力する画像の画素値を、前記画素値の符号を表す符号データと前記画素値の絶対値をｎ個（ｎは２以上の整数）の値に分割した第１の分割データとに分割する分割ステップと、
前記第１の分割データを構成するｎ個の値のうち、少なくとも一つの値が減衰されたｎ個の値から成る第２の分割データを生成する分割データ処理ステップと、
前記第２の分割データを構成するｎ個の値を加算して得られた値に、前記符号データが表す符号を付加して得られる値を出力する合成ステップとを有する
ことを特徴とする画像処理方法。
【請求項１８】
入力画像の水平方向に関して特定の周波数帯域近傍の成分を取り出した水平方向中間画像と、垂直方向に関して特定の周波数帯域近傍の成分を取り出した垂直方向中間画像から成る第１の中間画像を生成する中間画像生成ステップと、
前記第１の中間画像を入力とし第２の中間画像を生成する中間画像処理ステップと、
前記入力画像と前記第２の中間画像を加算する第１の加算ステップとを有し、
前記中間画像処理ステップは、
前記水平方向中間画像の画素に応じて処理の内容を変化させる水平方向非線形処理ステップと、
前記水平方向非線形処理ステップの出力する画像の高周波数成分のみを取り出した水平方向高周波数成分画像を生成する水平方向高周波数成分画像生成ステップと、
前記垂直方向中間画像の画素に応じて処理の内容を変化させる垂直方向非線形処理ステップと、
前記垂直方向非線形処理ステップの出力する画像の高周波数成分のみを取り出した垂直方向高周波数成分画像を生成する垂直方向高周波数成分画像生成ステップと、
前記水平方向高周波数成分画像と前記垂直方向高周波数成分画像を加算する第２の加算ステップと、
前記第２の加算ステップの出力する画像を補正する補正ステップを含み、
前記補正ステップは、
前記第２の加算ステップの出力する画像の画素値を、前記画素値の符号を表す符号データと前記画素値の絶対値をｎ個（ｎは２以上の整数）の値に分割した第１の分割データとに分割する分割ステップと、
前記第１の分割データを構成するｎ個の値のうち、少なくとも一つの値が減衰されたｎ個の値から成る第２の分割データを生成する分割データ処理ステップと、
前記第２の分割データを構成するｎ個の値を加算して得られた値に、前記符号データが表す符号を付加して得られる値を出力する合成ステップとを有する
ことを特徴とする画像処理方法。
【請求項１９】
請求項１２から１８のいずれか１項に記載の画像処理方法で処理した画像を表示する画像表示装置。
【手続補正２】
【補正対象書類名】明細書
【補正対象項目名】０００７
【補正方法】変更
【補正の内容】
【０００７】
本発明の一つの態様の画像処理装置は、
入力画像の特定の周波数帯域近傍の成分を取り出した第１の中間画像を生成する中間画像生成手段と、
前記第１の中間画像を入力とし第２の中間画像を生成する中間画像処理手段と、
前記第１の中間画像を入力とし前記第２の中間画像の各画素に対する補正強度を決定する補正強度決定手段と、
前記補正強度決定手段により各画素について決定された前記補正強度に応じた補正量だけ、前記第２の中間画像の当該画素の画素値の絶対値が小さくなるように、前記第２の中間画像に対する補正を行って、補正画像を出力する補正手段と、
前記入力画像と前記補正画像を加算する第１の加算手段と
を有し、
前記補正強度決定手段は、
前記第１の中間画像のそれぞれの画素の画素値の絶対値が所定の閾値より大きい場合１を出力し、それ以外の場合０を出力する比較手段と、
各画素を中心とする所定の範囲内に位置する画素についての前記比較手段の出力を加重加算する比較結果加算手段と
を有することを特徴とする。
本発明の他の態様の画像処理装置は、
入力画像の特定の周波数帯域近傍の成分を取り出した第１の中間画像を生成する中間画像生成手段と、
前記第１の中間画像を入力とし第２の中間画像を生成する中間画像処理手段と、
前記第１の中間画像を入力とし前記第２の中間画像の各画素に対する補正強度を決定する補正強度決定手段と、
前記補正強度決定手段により各画素について決定された前記補正強度に応じた補正量だけ、前記第２の中間画像の当該画素の画素値の絶対値が小さくなるように、前記第２の中間画像に対する補正を行って、補正画像を出力する補正手段と、
前記入力画像と前記補正画像を加算する第１の加算手段と
を有し、
前記補正強度決定手段は、
前記第１の中間画像のそれぞれの画素の画素値の絶対値が所定の閾値より小さい少なくとも一部の区間で０を出力し、それ以外の少なくとも一部の区間で前記第１の中間画像の画素値の絶対値の値の変化に対し連続的に変化する値を出力する比較手段と、
各画素を中心とする所定の範囲内に位置する画素についての前記比較手段の出力を加重加算する比較結果加算手段と
を有することを特徴とする。
【手続補正３】
【補正対象書類名】明細書
【補正対象項目名】００２６
【補正方法】変更
【補正の内容】
【００２６】
図４は水平方向非線形処理手段２Ａｈの構成例を示す。図示の水平方向非線形処理手段２Ａｈは、ゼロクロス判定手段３１１ｈと、信号増幅手段３１２ｈとを備える。なお、水平方向非線形処理手段２Ａｈには、画像Ｄ１ｈが入力画像ＤＩＮ３１１ｈとして入力される。
【手続補正４】
【補正対象書類名】明細書
【補正対象項目名】００３０
【補正方法】変更
【補正の内容】
【００３０】
図５は垂直方向非線形処理手段２Ａｖの構成例を示す。図示の垂直方向非線形処理手段２Ａｖは、ゼロクロス判定手段３１１ｖと、信号増幅手段３１２ｖとを備える。なお、垂直方向非線形処理手段２Ａｖには、画像Ｄ１ｖが入力画像ＤＩＮ３１１ｖとして入力される。
【手続補正５】
【補正対象書類名】明細書
【補正対象項目名】００４０
【補正方法】変更
【補正の内容】
【００４０】
比較結果加算手段３Ｂは比較結果Ｄ３Ａとして得られる出力値を複数画素分加算し、その結果を加算結果Ｄ３Ｂとして出力する。この加算においては、各画素（注目画素）について、当該注目画素を中心とする所定の範囲内に位置する複数の画素についての比較結果Ｄ３Ａとして得られる出力値が加算される。この加算処理は比較結果Ｄ３Ａｈ、Ｄ３Ａｖのそれぞれに対して行う。すなわち比較結果加算手段３Ｂは、比較結果Ｄ３Ａｈに対して後述の処理を行う水平方向比較結果加算手段３Ｂｈと、比較結果Ｄ３Ａｖに対して後述の処理を行う垂直方向比較結果加算手段３Ｂｖとを備え、加算結果Ｄ３Ｂは、水平方向比較結果加算手段３Ｂｈが出力する加算結果Ｄ３Ｂｈと、垂直方向比較結果加算手段３Ｂｖが出力する加算結果Ｄ３Ｂｖから成る。以下、水平方向比較結果加算手段３Ｂｈ、及び垂直方向比較結果加算手段３Ｂｖの動作についてさらに説明する。
【手続補正６】
【補正対象書類名】明細書
【補正対象項目名】００５７
【補正方法】変更
【補正の内容】
【００５７】
補正手段４について説明する。図９は補正手段４の構成例を示す。図示の補正手段４は、補正量決定手段４Ａと、補正演算手段４Ｂとを備える。
【手続補正７】
【補正対象書類名】明細書
【補正対象項目名】００７２
【補正方法】変更
【補正の内容】
【００７２】
図１３は画像拡大手段Ｕ１の構成例を示す。図示の画像拡大手段Ｕ１は水平方向ゼロ挿入手段Ｕ１Ａ、水平方向低周波数成分通過手段Ｕ１Ｂ、垂直方向ゼロ挿入手段Ｕ１Ｃ、及び垂直方向低周波数成分通過手段Ｕ１Ｄを備える。水平方向ゼロ挿入手段Ｕ１Ａは原画ＤＯＲＧの水平方向に関して画素値０を持つ画素を適宜挿入した画像ＤＵ１Ａを生成する。水平方向低周波数成分通過手段Ｕ１Ｂはローパスフィルタ処理により画像ＤＵ１Ａの低周波数成分のみを取り出した画像ＤＵ１Ｂを生成する。垂直方向ゼロ挿入手段Ｕ１Ｃは画像ＤＵ１Ｂの垂直方向に関して画素値０を持つ画素を適宜挿入した画像ＤＵ１Ｃを生成する。垂直方向低周波数成分通過手段Ｕ１Ｄはローパスフィルタ処理により画像ＤＵ１Ｃの低周波数成分のみを取り出した画像ＤＵ１Ｄを生成する。そして画像ＤＵ１Ｄが原画ＤＯＲＧを水平方向及び垂直方向とも２倍した画像ＤＵ１として、画像拡大手段Ｕ１から出力される。
【手続補正８】
【補正対象書類名】明細書
【補正対象項目名】００７５
【補正方法】変更
【補正の内容】
【００７５】
図１５（Ａ）〜（Ｄ）は、画像拡大手段Ｕ１による処理の作用を周波数空間上で表したものであり、図１５（Ａ）は原画ＤＯＲＧの周波数スペクトル、図１５（Ｂ）は画像ＤＵ１Ａの周波数スペクトル、図１５（Ｃ）は水平方向低周波数成分通過手段Ｕ１Ｂの周波数応答、図１５（Ｄ）は画像ＤＵ１Ｂの周波数スペクトルを表している。なお、図１５（Ａ）〜（Ｄ）において横軸は水平方向の空間周波数を表す周波数軸であり、縦軸は周波数スペクトルもしくは周波数応答の強度を表している。なお原画ＤＯＲＧの画素数は入力画像ＤＩＮの半分となっており、言い換えると原画ＤＯＲＧのサンプリング間隔は入力画像ＤＩＮのサンプリング間隔の２倍になっている。したがって原画ＤＯＲＧのナイキスト周波数は入力画像ＤＩＮのナイキスト周波数の半分すなわち、Ｆｎ／２となる。
【手続補正９】
【補正対象書類名】明細書
【補正対象項目名】００８３
【補正方法】変更
【補正の内容】
【００８３】
以下、本発明に係る画像処理装置の作用、効果について説明する。
図１６（Ａ）〜（Ｅ）は入力画像ＤＩＮ（もしくは画像ＤＵ１）として原画ＤＯＲＧを拡大して得られた画像ＤＵ１Ｄが入力された場合の、入力画像ＤＩＮから中間画像Ｄ１を生成する際の作用、効果を模式的に表した図であり、図１６（Ａ）は入力画像ＤＩＮの周波数スペクトルを、図１６（Ｂ）は高周波数成分画像生成手段１Ａの周波数応答を、図１６（Ｃ）は低周波数成分画像生成手段１Ｂの周波数応答を、図１６（Ｄ）は中間画像生成手段１の周波数応答を、図１６（Ｅ）は中間画像Ｄ１の周波数スペクトルを表す。なお、図１６（Ａ）〜（Ｅ）においても図１５（Ａ）〜（Ｄ）と同様の理由で周波数軸は１本しか用いていない。
【手続補正１０】
【補正対象書類名】明細書
【補正対象項目名】００９０
【補正方法】変更
【補正の内容】
【００９０】
図１７（Ａ）〜（Ｃ）は中間画像処理手段２の作用、効果を表した図であり、図１７（Ａ）は非線形処理画像Ｄ２Ａの周波数スペクトルを、図１７（Ｂ）は高周波数成分画像生成手段２Ｂの周波数応答を、図１７（Ｃ）は画像Ｄ２Ｂの周波数スペクトルを表す。なお、図１７（Ａ）〜（Ｃ）では、図１６（Ａ）〜（Ｅ）と同様の理由で、空間周波数が０以上となる範囲でのみ周波数スペクトル或いは周波数応答の強度を表している。
【手続補正１１】
【補正対象書類名】明細書
【補正対象項目名】０１２５
【補正方法】変更
【補正の内容】
【０１２５】
また、本発明による画像処理装置では、補正強度Ｄ３に所定の係数を乗ずるといった方法で補正量Ｄ４Ａを求めたが、この際、補正強度Ｄ３に乗ずる係数を中間画像Ｄ２の画素値の符号が正の場合と負の場合で異なるものとすれば、輝度が明るくなる場合と暗くなる場合とで異なる程度に補正を加えることが可能になる。
【手続補正１２】
【補正対象書類名】明細書
【補正対象項目名】０１２６
【補正方法】変更
【補正の内容】
【０１２６】
また、水平方向比較手段３Ａｈで用いる閾値を画像Ｄ１ｈの画素値の符号が正の場合と負の場合で異なる値としたり、垂直方向比較手段３Ａｖで用いる閾値を画像Ｄ１ｖの画素値の符号が正の場合と負の場合で異なる値としたり、比較手段３Ａで用いる閾値を中間画像Ｄ１の画素値の符号が正の場合と負の場合で異なる値とすることでも、輝度が明るくなる場合と暗くなる場合とで、異なる程度に補正を加えることが可能になる。
【手続補正１３】
【補正対象書類名】明細書
【補正対象項目名】０１３０
【補正方法】変更
【補正の内容】
【０１３０】
図２４の変形例では、図６に示した補正強度決定手段３のように、比較手段３Ａ内部に、水平方向比較手段３Ａｈと垂直方向比較手段３Ａｖの双方を設ける必要がなければ、比較結果加算手段３Ｂ内部に、水平方向比較結果加算手段３Ｂｈと垂直方向比較結果加算手段３Ｂｖの双方を設ける必要もない。また、図１０に示した補正量決定手段４Ａのように、水平方向補正量決定手段４Ａｈと垂直方向補正量決定手段４Ａｖの双方を設ける必要もない。したがって、この変形例では、その回路規模を小さくすることが出来る。
【手続補正１４】
【補正対象書類名】明細書
【補正対象項目名】０１３３
【補正方法】変更
【補正の内容】
【０１３３】
このような処理を行う場合、比較結果Ｄ３Ａを比較結果加算手段３Ｂで加算することで得られる、中間画像Ｄ１の各画素についての加算結果Ｄ３Ｂは、各画素とその周辺の領域を含む領域（近傍領域）内に絶対値の大きい画素がより多く存在するほどより大きな値となり、近傍領域内の画素の画素値の絶対値を重み付け加算する場合には、当該重み加算値が大きいほど大きな値となる。
【手続補正１５】
【補正対象書類名】明細書
【補正対象項目名】０１３７
【補正方法】変更
【補正の内容】
【０１３７】
分割手段４０Ａは中間画像Ｄ２の各画素に関して、画素値の符号を表す信号と画素値の絶対値を複数の値に分割した結果を出力する。図示の例では、中間画像Ｄ２の画素値の符号を表す符号データＤ４０Ａ０と、画素値の絶対値を分割して得た３つの値Ｄ（１）、Ｄ（２）、Ｄ（３）から成る分割データＤ４０Ａ１を出力する。
【手続補正１６】
【補正対象書類名】明細書
【補正対象項目名】０１５６
【補正方法】変更
【補正の内容】
【０１５６】
図３０は中間画像処理手段２０の構成例を示す。図３０において、図３と同じ符号で表される構成要素は実施の形態１と同様の動作を行うのでその説明は省略する。図３０の中間画像処理手段２０は、図３の中間画像処理手段２と概して同じであるが、以下の点で異なる。即ち、補正手段２Ｃ１、２Ｃ２が付加され、図３の加算手段２Ｃの代わりに、加算手段２Ｄが設けられている。以下、補正手段２Ｃ１、２Ｃ２、及び加算手段２Ｄについて説明する。
【手続補正１７】
【補正対象書類名】明細書
【補正対象項目名】０１５９
【補正方法】変更
【補正の内容】
【０１５９】
加算手段２Ｄは画像Ｄ２Ｃ１、Ｄ２Ｃ２を加算する。
ここで画像Ｄ２Ｃ１は画像Ｄ２Ｃ１ｈ、Ｄ２Ｃ１ｖから成り、画像Ｄ２Ｃ２は画像Ｄ２Ｃ２ｈ、Ｄ２Ｃ２ｖから成るので、画像Ｄ２Ｃ１、Ｄ２Ｃ２を加算するとは画像Ｄ２Ｃ１ｈ、Ｄ２Ｃ１ｖ、Ｄ２Ｃ２ｈ、Ｄ２Ｃ２ｖを加算することを意味する。なお、ここでの加算は単純加算であってもよいし重み付け加算であってもよい。
【手続補正１８】
【補正対象書類名】明細書
【補正対象項目名】０１６１
【補正方法】変更
【補正の内容】
【０１６１】
ここで仮に補正手段２Ｃ１、２Ｃ２による補正が加えられなかった場合を考える。この場合、中間画像Ｄ２は画像Ｄ１ｈ、Ｄ１ｖ、Ｄ２Ｂｈ、Ｄ２Ｂｖを加算して得られることになる。したがって、画像Ｄ１ｈ、Ｄ１ｖ、Ｄ２Ｂｈ、Ｄ２Ｂｖの画素値が大きな正の値や小さな負の値をとっている箇所では中間画像Ｄ２の画素値も大きな正の値や小さな負の値をとりやすいと考えられる。
【手続補正１９】
【補正対象書類名】明細書
【補正対象項目名】０１７３
【補正方法】変更
【補正の内容】
【０１７３】
加算手段２Ｇは、画像Ｄ２Ｆ１、Ｄ２Ｆ２を加算した結果を中間画像Ｄ２として出力する。ここで加算の方法は単純加算でも加重加算でもよい。
【手続補正２０】
【補正対象書類名】明細書
【補正対象項目名】０１７５
【補正方法】変更
【補正の内容】
【０１７５】
ここで仮に補正手段２Ｆ１、２Ｆ２による補正が加えられなかった場合を考える。この場合、中間画像Ｄ２は画像Ｄ２Ｅ１、Ｄ２Ｅ２を加算して得られることになる。したがって画像Ｄ２Ｅ１や画像Ｄ２Ｅ２の画素値が大きな正の値や小さな負の値をとっている箇所では中間画像Ｄ２の画素値も大きな正の値や小さな負の値をとりやすいと考えられる。
【手続補正２１】
【補正対象書類名】明細書
【補正対象項目名】０１７６
【補正方法】変更
【補正の内容】
【０１７６】
一方、先に述べたように、補正手段２Ｆ１では、画像Ｄ２Ｅ１に対し、その画素値が大きな正の値や小さな負の値をとっている箇所でその振幅が減衰するよう補正が加えられ、補正手段２Ｆ２では、画像Ｄ２Ｅ２に対し、その画素値が大きな正の値や小さな負の値をとっている箇所でその振幅が減衰するよう補正が加えられるので、それらを加算して得られる中間画像Ｄ２は、その画素値が大きな正の値や小さな負の値になる箇所では、その振幅が減衰するよう補正が加えられたものとなる。したがって、中間画像Ｄ２によって入力画像ＤＩＮに含まれる輝度変化が大きくなる程度を軽減することができ、周期的な模様が動いた部分に発生しうる点滅を抑えることが可能になる。
【手続補正２２】
【補正対象書類名】明細書
【補正対象項目名】０１８３
【補正方法】変更
【補正の内容】
【０１８３】
高周波数成分画像生成ステップＳＴ１Ａでは、図示しない画像入力ステップにて入力された入力画像ＤＩＮに対し、以下のような処理が行われる。まず、水平方向高周波数成分画像生成ステップＳＴ１Ａｈでは、水平方向のハイパスフィルタ処理によって、入力画像ＤＩＮから水平方向の高周波数成分を取り出した画像Ｄ１Ａｈを生成する。垂直方向高周波数成分画像生成ステップＳＴ１Ａｖでは、垂直方向のハイパスフィルタ処理によって、入力画像ＤＩＮから垂直方向の高周波数成分を取り出した画像Ｄ１Ａｖを生成する。すなわち、高周波数成分画像生成ステップＳＴ１Ａは、入力画像ＤＩＮから、画像Ｄ１Ａｈ及び画像Ｄ１Ａｖから成る画像Ｄ１Ａを生成する。この動作は高周波数成分画像生成手段１Ａと同等である。
【手続補正２３】
【補正対象書類名】明細書
【補正対象項目名】０１８７
【補正方法】変更
【補正の内容】
【０１８７】
非線形処理ステップＳＴ２Ａは、水平方向非線形処理ステップＳＴ２Ａｈ、及び垂直方向非線形処理ステップＳＴ２Ａｖを含み、高周波数成分画像生成ステップＳＴ２Ｂは、水平方向高周波数成分画像生成ステップＳＴ２Ｂｈ、及び垂直方向高周波数成分画像生成ステップＳＴ２Ｂｖを含む。
【手続補正２４】
【補正対象書類名】明細書
【補正対象項目名】０１８９
【補正方法】変更
【補正の内容】
【０１８９】
非線形処理ステップＳＴ２Ａでは第１の中間画像Ｄ１に対し、以下のような処理を行う。
まず、水平方向非線形処理ステップＳＴ２Ａｈでは、図３５に示すフローに従った処理で画像Ｄ１ｈから画像Ｄ２Ａｈを生成する。図３５に示すフローでの処理は以下の通りである。まず、ゼロクロス判定ステップＳＴ３１１ｈでは、画像Ｄ１ｈにおける画素値の変化を水平方向に沿って確認する。そして画素値が正の値から負の値或いは負の値から正の値へと変化する箇所をゼロクロス点として捉え、ゼロクロス点の左右に位置する画素を信号増幅ステップＳＴ３１２ｈに通知する。信号増幅ステップＳＴ３１２ｈでは画像Ｄ１ｈについて、ゼロクロス点の左右に位置すると通知された画素の画素値を増幅し、その画像を画像Ｄ２Ａｈとして出力する。すなわち、水平方向非線形処理ステップＳＴ２Ａｈは、画像Ｄ１ｈに対し、水平方向非線形処理手段２Ａｈと同様の処理を行い、画像Ｄ２Ａｈを生成する。
【手続補正２５】
【補正対象書類名】明細書
【補正対象項目名】０１９０
【補正方法】変更
【補正の内容】
【０１９０】
次に、垂直方向非線形処理ステップＳＴ２Ａｖでは、図３６に示すフローに従った処理で画像Ｄ１ｖから画像Ｄ２Ａｖを生成する。図３６に示すフローでの処理は以下の通りである。まず、ゼロクロス判定ステップＳＴ３１１ｖでは、画像Ｄ１ｖにおける画素値の変化を垂直方向に沿って確認する。そして画素値が正の値から負の値或いは負の値から正の値へと変化する箇所をゼロクロス点として捉え、ゼロクロス点の上下に位置する画素を信号増幅ステップＳＴ３１２ｖに通知する。信号増幅ステップＳＴ３１２ｖでは画像Ｄ１ｖについて、ゼロクロス点の上下に位置すると通知された画素の画素値を増幅し、その画像を画像Ｄ２Ａｖとして出力する。すなわち、垂直方向非線形処理ステップＳＴ２Ａｖは、画像Ｄ１ｖに対し、垂直方向非線形処理手段２Ａｖと同様の処理を行い、画像Ｄ２Ａｖを生成する。
【手続補正２６】
【補正対象書類名】明細書
【補正対象項目名】０２０３
【補正方法】変更
【補正の内容】
【０２０３】
垂直方向比較結果加算ステップＳＴ３Ｂｖは垂直方向比較結果加算手段３Ｂｖと同様の方法で加算結果Ｄ３Ｂｖを計算する。すなわち、各画素についての比較結果Ｄ３Ａｖについて、その画素を中心とした所定の範囲内に存在する画素の画素値を加算し、その結果を加算結果Ｄ３Ｂｖとする。
【手続補正２７】
【補正対象書類名】明細書
【補正対象項目名】０２０７
【補正方法】変更
【補正の内容】
【０２０７】
補正量決定ステップＳＴ４Ａは補正量Ｄ４Ａを決定する。補正量Ｄ４Ａの決定は補正量決定手段４Ａと同様に行われる。補正量決定ステップＳＴ４Ａは、例えば図３９に示すように、水平方向補正量決定ステップＳＴ４Ａｈ、垂直方向補正量決定ステップＳＴ４Ａｖ、加算ステップＳＴ４Ａｐを含む。以下、補正量決定ステップＳＴ４Ａの動作の詳細を述べる。
【手続補正２８】
【補正対象書類名】明細書
【補正対象項目名】０２３１
【補正方法】変更
【補正の内容】
【０２３１】
加算ステップＳＴ２Ｄは画像Ｄ２Ｃ１、Ｄ２Ｃ２を加算する。
ここで画像Ｄ２Ｃ１は画像Ｄ２Ｃ１ｈ、Ｄ２Ｃ１ｖから成り、画像Ｄ２Ｃ２は画像Ｄ２Ｃ２ｈ、Ｄ２Ｃ２ｖから成るので、画像Ｄ２Ｃ１、Ｄ２Ｃ２を加算するとは画像Ｄ２Ｃ１ｈ、Ｄ２Ｃ１ｖ、Ｄ２Ｃ２ｈ、Ｄ２Ｃ２ｖを加算することを意味する。なお、ここでの加算は単純加算であってもよいし重み付け加算であってもよい。
【手続補正２９】
【補正対象書類名】明細書
【補正対象項目名】０２４１
【補正方法】変更
【補正の内容】
【０２４１】
加算ステップＳＴ２Ｇは、画像Ｄ２Ｆ１、Ｄ２Ｆ２を加算した結果を中間画像Ｄ２として出力する。ここで加算の方法は単純加算でも加重加算でもよい。
以上が中間画像処理ステップＳＴ２０の構成及び動作である。
【手続補正３０】
【補正対象書類名】図面
【補正対象項目名】図２４
【補正方法】変更
【補正の内容】
【図２４】
2013228536.tif 000004
【手続補正３１】
【補正対象書類名】図面
【補正対象項目名】図３４
【補正方法】変更
【補正の内容】
【図３４】
2013228536.tif 000005
【手続補正３２】
【補正対象書類名】図面
【補正対象項目名】図４４
【補正方法】変更
【補正の内容】
【図４４】
2013228536.tif 000006
【手続補正３３】
【補正対象書類名】図面
【補正対象項目名】図４５
【補正方法】変更
【補正の内容】
【図４５】
2013228536.tif 000007